(57)【要約】【解決課題】  本発明は、ブレーキ開放時にパッドの引き摺りが生じないようなディスクブレーキのフローティング構造を提供する。【解決手段】  本発明のディスクブレーキのフローティング構造によれば、ブレーキ作動時に棒状部材が前記スペーサ方向に摺動することにともなって第一スプリングが圧縮され、ブレーキ開放時には第一スプリングが伸長することにより棒状部材がスペーサと逆方向に摺動する。また、ブレーキ作動時に棒状部材の摺動力が第二スプリングの嵌合力を超える場合には、棒状部材は第二スプリング及びガイド部材との協動が解除されて単独で摺動する。【選択図】  図１
2005221017.tif 000002
【特許請求の範囲】
【請求項１】
車体に固定されたキャリアーに連結されたスリーブ上を摺動可能なキャリパーと、該キャリパーから突出する第一パッドと該キャリパーと協動する第二パッドとを有し、ブレーキ作動時に前記第一パッドがディスクロータに当接した際に生じる反力により該キャリパーが前記スリーブ上を摺動させて前記第二パッドをディスクロータに当接させる構造を有するディスクブレーキのフローティング構造であって、
前記キャリパーの摺動と協動して前記スリーブの軸線方向に沿って摺動するように、前記スリーブ内でその軸線方向に延びて配設された棒状部材と、
ブレーキ作動時における前記棒状部材の摺動方向の動きが規制されるように前記スリーブ内に配設されたスペーサと、
前記スプリングガイドの摺動と協動するように該棒状部材の周囲に配設されたガイド部材と、
前記スペーサと前記ガイド部材とに挟まれて配設された第一スプリングとを備え、ブレーキ作動時には前記棒状部材が前記スペーサ方向に摺動することにともなって前記ガイド部材が前記スペーサに接近することにより前記第一スプリングが圧縮され、ブレーキ開放時には前記第一スプリングが伸長することにより前記ガイド部材が前記スペーサと離間することにともなって前記棒状部材が前記スペーサと逆方向に摺動する、ことを特徴とするディスクブレーキのフローティング構造。
【請求項２】
前記棒状部材の周囲にはその軸線方向に延びて該棒状部材の摺動と協動するように第二スプリングが嵌合し、前記ガイド部材は前記スペーサに所定距離接近すると互いに当接し、
さらに、ブレーキ作動時には前記ガイド部材は前記棒状部材の摺動にともなって前記第二スプリングに担持されながら前記スペーサ方向に押し出され、前記ガイド部材と前記スペーサとが当接した後に前記棒状部材の摺動力が前記第二スプリングの嵌合力を超える場合には、前記棒状部材は前記第二スプリング及び前記ガイド部材との協動が解除されて単独で摺動する、ことを特徴とする請求項１に記載のディスクブレーキのフローティング構造。
【請求項３】
前記ガイド部材は、前記スペーサ方向に突出する係合部材を備え、ブレーキ開放時における前記棒状部材及び前記ガイド部材の摺動を、前記係合部材と前記スペーサとが係合するまでの範囲に規制する、ことを特徴とする請求項２に記載のディスクブレーキのフローティング構造。
【請求項４】
車体に固定されたキャリアーに連結されたスリーブ上を摺動可能なキャリパーと、該キャリパーから突出する第一パッドと該キャリパーと協動する第二パッドとを有し、ブレーキ作動時に前記第一パッドがディスクロータに当接した際に生じる反力により該キャリパーが前記スリーブ上を摺動させて前記第二パッドをディスクロータに当接させる構造を有するディスクブレーキのフローティング構造であって、
前記キャリパーの摺動と協動して前記スリーブの軸線方向に沿って摺動するように、前記スリーブ内でその軸線方向に延びて配設された棒状部材と、
ブレーキ作動時における前記棒状部材の摺動方向の動きが規制されるように前記スリーブ内に配設されたスペーサと、
前記棒状部材の周囲に軸線方向に延びるスプリングとを備え、該スプリングは、前記棒状部材の周囲でその軸線方向に延びて該棒状部材の摺動と協動するように嵌合する第二部分と、一端が該第二部分に接続し他端が前記スペーサを担持する第一部分とで形成され、
さらに、ブレーキ作動時には前記棒状部材が前記スペーサ方向に摺動することにともなって前記第二部分が前記スペーサに接近することにより前記第一スプリングが圧縮され、ブレーキ開放時には前記第一部分が伸長することにより前記第二部分が前記スペーサと離間することにともなって前記棒状部材が前記スペーサと逆方向に摺動し、ブレーキ作動時に前記棒状部材の摺動力が前記第二部分の嵌合力を超える場合には、前記棒状部材は前記第二部分との協動が解除されて単独で摺動する、ことを特徴とするディスクブレーキのフローティング構造。
【発明の詳細な説明】
【技術分野】
【０００１】
本発明は、ディスクブレーキの構造、特にディスクブレーキにおけるキャリパーのフローティング構造（又は「キャリパーの浮動式構造」）に関する。
【背景技術】
【０００２】
車両の制動形式としてはドラムブレーキ形式とディスクブレーキ形式が存在し、このうちディスクブレーキ形式は、大きく片押しピストン形式と対向ピストン形式とに分けられる。対向ピストン形式は左右両方のパッドをそれぞれ対向するピストンにより動かしてディスクロータを挟み込む構造でありブレーキ開放時にブレーキパッドがディスクロータに引きずることがない結果、走行抵抗が小さい点、キャリパー、ディスクロータともに固定化できるため制動性も向上するという点では優れている反面、スペース的・重量的に不都合が多い。
【０００３】
一方、片押しピストン形式の場合、ブレーキパッドを動かすピストンが片側だけの構造であるためスペース、重量の問題は解決されるものであり、特にキャリパー浮動式構造の場合にはブレーキパッドを直接動かすピストンが片側だけであっても反対側のブレーキパッドも浮動式のキャリパーがパッド方向に動くことにより両側からディスクロータを挟むことができるので制動性の問題もない。
【０００４】
しかしながら、キャリパー浮動式であっても走行抵抗を発生させる点では依然問題を有していた。まず、問題を明確にするために前提としてキャリパー浮動式ディスクブレーキの構成を説明すれば、該ディスクブレーキ１０は図７に主構成を略示するように概ねキャリパー１２、スリーブ１４、パッド１６ａ、１６ｂ、キャリヤー２０で形成されている。キャリヤー２０はスリーブ１４とともにアクスル機構（図示せず）に固定されており、キャリパー１２はアクスル機構に固定されておらずスリーブ１４上を摺動可能になっている（この意味で「浮動式」又は「フローティング」と称されている）。また、パッド１６ａ、１６ｂは互いにディスクロータ１８を挟んで対向している。さらに、パッド１６ａはピストン（図示せず）の動きに応じてブレーキ時にはディスクロータ１８方向に摺動したパッド１６ａがディスクロータ１８に当接することでロータ１８に摩擦力を付与し、ブレーキ開放時にはブレーキ時と逆方向に摺動することでパッド１６ａとロータ１８とを離間させる。また、ブレーキ時にバッド１６ａがロータ１８に当接すると該当接力に対抗する反力が逆にロータ１８からパッド１６ａに作用する。この反力がキャリパー１２に伝達されるとキャリパー１２はスリーブ１４上をロータ１８と反対側（図１の左方向）に摺動する。従って、パッド１６ａと対向してキャリパー１２に装着されているパッド１６ｂは、ブレーキ時にはロータ方向（図１の左方向）に動かされロータ１８に当接することで摩擦力を付与し、ブレーキ開放時にはパッド１６ａへの反力が失われるためパッド１６ｂの当接による摩擦力も失われることとなる。
【０００５】
以上のようにキャリパー浮動式ディスクブレーキにおいては片押しピストン形式でありながらブレーキ時に両側パッドでディスクロータを挟むことができ、高い制動性を有している。
【特許文献１】特開２００１−２００８７５号公報
【発明の開示】
【発明が解決しようとする課題】
【０００６】
しかしながら、従来のキャリパー浮動式ディスクブレーキにおいてはキャリパーの浮動機構を担保する構造、具体的にはキャリパー１２とスリーブ１４との間の摺動構造（以下、「フローティング構造」と称す）に関し、ブレーキ開放時にパッド１６ｂがロータ１８に接触したままになるという問題があった。この問題に関し、従来はブレーキが開放されていればパッド１６ｂがロータ１８に接触し引き摺り状態になったとしてもロータ１８にはパッド１６ｂからの当接荷重は掛かっていないため車両の走行中にロータ１８の振れ等で自然にパッド１６ｂが押し戻されることから大きな問題にはならないとされていた。しかしながら、近年、環境問題とも相俟って燃費の改善が進行するにつれこの引き摺りによるエネルギー損失が無視できない問題となってきた。
【０００７】
本発明は上記問題に鑑みてなされたものであり、ブレーキ開放時にパッドの引き摺りが生じないようなディスクブレーキのフローティング構造を提供することを目的とする。
【課題を解決するための手段】
【０００８】
本発明は、車体に固定されたキャリアーに連結されたスリーブ上を摺動可能なキャリパーと、キャリパーから突出する第一パッドとキャリパーと協動する第二パッドとを有し、ブレーキ作動時に第一パッドがディスクロータに当接した際に生じる反力によりキャリパーがスリーブ上を摺動することで第二パッドをディスクロータに当接させる構造を有するディスクブレーキのフローティング構造に関し、キャリパーの摺動と協動してスリーブ（本実施形態におけるスリーブ１０４等参照）の軸線方向に沿って摺動するように、スリーブ内でその軸線方向に延びて配設された棒状部材（本実施形態におけるスプリングガイド１１０等参照）と、ブレーキ作動時における棒状部材の摺動方向の動きが規制されるようにスリーブ内に配設されたスペーサ（本実施形態におけるスペーサ１１６等参照）と、スプリングガイドの摺動と協動するように棒状部材の周囲に配設されたガイド部材（本実施形態におけるガイド部材１１４等参照）と、スペーサとガイド部材とに挟まれて配設された第一スプリング（本実施形態における第一スプリング１２２等参照）とを備え、ブレーキ作動時には棒状部材がスペーサ方向に摺動することにともなってガイド部材がスペーサに接近することにより第一スプリングが圧縮され、ブレーキ開放時には第一スプリングが伸長することによりガイド部材がスペーサと離間することにともなって棒状部材がスペーサと逆方向に摺動する。
【０００９】
また、上記棒状部材の周囲にはその軸線方向に延びて棒状部材の摺動と協動するように第二スプリング（本実施形態における第二スプリング１１２等参照）が嵌合し、ガイド部材はスペーサに所定距離接近すると互いに当接し、さらに、ブレーキ作動時にはガイド部材は棒状部材の摺動にともなって第二スプリングに担持されながらスペーサ方向に押し出され、ガイド部材とスペーサとが当接した後に棒状部材の摺動力が第二スプリングの嵌合力を超える場合には、棒状部材は第二スプリング及びガイド部材との協動が解除されて単独で摺動することが好ましい。
【００１０】
また、ガイド部材は、スペーサ方向に突出する係合部材（本実施形態におけるスナップリング１１８参照）を備え、ブレーキ開放時における棒状部材及びガイド部材の摺動を、係合部材とスペーサとが係合するまでの範囲に規制しても良い。
【００１１】
さらに、本発明のディスクブレーキのフローティング構造は、上記棒状部材及びスペーサと、棒状部材の周囲に軸線方向に延びる一体のスプリングとを備えても良く、このスプリングは、棒状部材の周囲でその軸線方向に延びて棒状部材の摺動と協動するように嵌合する第二部分（本実施形態における第二部分３１２参照）と、一端が該第二部分に接続し他端が前記スペーサを担持する第一部分（本実施形態における第一部分３２２参照）とで形成されている。この場合、ブレーキ作動時には棒状部材がスペーサ方向に摺動することにともなって第二部分がスペーサに接近することにより第一スプリングが圧縮され、ブレーキ開放時には第一部分が伸長することにより第二部分がスペーサと離間することにともなって棒状部材が前記スペーサと逆方向に摺動する。さらに、ブレーキ作動時に棒状部材の摺動力が第二部分の嵌合力を超える場合には、棒状部材は第二部分との協動が解除されて単独で摺動することとなる。
【発明の効果】
【００１２】
本発明によれば、ブレーキ作動時に圧縮された第一スプリングがブレーキ開放時に伸長されることを利用してブレーキ開放時にキャリパーに連結されたスプリングガイドを押し戻すように構成している。従って、ブレーキ開放時にディスクロータにパッドが引き摺ることなく確実に両者を離間することが可能となり、引き摺りによるエネルギー損失を大きく減じることができる。また、パッドが磨耗しスプリングガイドを大きく摺動させる必要が生じた場合にも所定以上のブレーキ作動荷重をスプリングガイドに掛けるとスプリングガイドだけが単独で摺動してロータへの当接を達成できると同時にブレーキを開放すれば初期位置からパッドの磨耗分だけ移動した位置にスプリングガイドを押し戻すことができるのでパッドの磨耗に対応した適正な位置にキャリパーを修正配置することができ、結果、ブレーキ性能を大幅に向上させることができる。
【発明を実施するための最良の形態】
【００１３】
図１を参照すれば本発明のディスクブレーキのフローティング構造、特に上述した図７におけるスリーブとキャリパーとの嵌合部（図７の領域Ａ参照）に相当する部分の構造を拡大した略断面図が示されている。
【００１４】
まず、本フローティング構造１００では車両側、特にアクスル機構にキャリアー１０２とスリーブ１０４とが固定されている。このスリーブ１０４は、キャリアー１０２と反対側に向かって開口する一部中空軸を形成している。また、キャリパー１０６は、スリーブ１０４の周囲を覆うように入れ子状に配設され、スリーブ１０４の端部側に配設されたキャップ１０８に圧入により固定されている。さらに、キャップ１０８は、その中心に凹部分を設け、該部分にスリーブ１０４内軸線方向に延びるスプリングガイド１１０が圧入されている。従って、キャリパー１０６、キャップ１０８、スプリングガイド１１０は一体化されてスリーブ１０４に対して摺動することを可能としている。
【００１５】
また、スプリングガイド１１０は長手方向一部に亘って周囲に第二スプリング１１２が巻き付けられている。この第二スプリング１１２の内径は自然状態ではスプリングガイド１１０の外径よりも小さくなるように製造されているためスプリングガイド１１０に巻き付けるとスプリングガイド１１０を締め付けるように弾性力が作用し、両者の固定状態を確保する。また、スプリングガイド１１０の周囲で第二スプリング１１２の端部に接する位置にガイド部材１１４が配設されている。従って、図１に示すように第二スプリング１１２は該ガイド部材１１４とスリーブ１０４の開口底面１０４ａとの間で挟みこまれて配設され、スプリングガイド１１０上の動きを制限されている。
【００１６】
また、図１に断面を示すようにガイド部材１１４は、上方向（第二スプリング１１２と反対側方向を意味する（以下、図１の紙面上の方向をもって示す））に向かって２段階に外径が小さくなっており、最も小さい外径部分の周囲にスペーサ１１６が配設されている。このスペーサ１１６は、スリーブ１０４の内壁に嵌合された第一スナップリング１１８によりスリーブ１０４に対する上方向の動きが制限されている。また、ガイド部材１１４にも第二スナップリング１２０が嵌合されており、ガイド部材１１４に対してスペーサ１１６の上方向の動きを制限している。さらに、ガイド部材１１４とスペーサ１１６との間のスペースには上下方向に第一スプリング１２２が保持され、第一スプリング１２２はスペーサ１１６がガイド部材１１４上を摺動することによって伸縮する。
【００１７】
上記機構とブレーキの作動状態との相関を説明する。図２を参照すれば図１の機構部を拡大した図が示されている。この図において、一点鎖線を境界として右側はブレーキ作動時の状態、左側はブレーキ開放時の状態を示している。ブレーキ作動時には、キャリパー１０６は上方への力が付与されるためスリーブ１０４上を摺動し、キャリアー１０２から離れる方向に移動する。このとき、スプリングガイド１１０はスリーブ１０４に対して矢印Ｘの方向に押し上げられ、さらにスプリングガイド１１０が押し上げられると、ガイド部材１１４は第二スプリング１１２とともに押し上げられる。ガイド部材１１４が押し上げられると、スペーサ１１６が第一スナップリング１１８で上方への動きを制限されているためスペーサ１１６とガイド部材１１４に挟まれる第一スプリング１２２を圧縮することとなる（図２右側参照）。
【００１８】
また、ブレーキが開放されると、キャリパー１０６への上下方向の力が作用せずスプリングガイド１１０も自由状態になるため、圧縮された第一スプリング１２２が自然長に回復する、すなわちガイド部材１１４とスペーサ１１６との間のスペースを拡大するように弾性力が作用する。このときスペーサ１１６は第一スナップリング１１８で上方への動きを制限されているためガイド部材１１４のみ下方に押し戻されることとなる（図１左側参照）。従って、ブレーキが開放されキャリパー１０６に上方向の力が作用しなくなったときには第一スプリング１２２によりスプリングガイド１１０が下方向に摺動し、キャリパー１０６も下方向に摺動される（押し戻される）こととなる。
【００１９】
以上のことを図７に示すディスクブレーキ１０に当て嵌めて検証するとブレーキ作動時にはスリーブ１４上をキャリパー１２が左方向に摺動することでパッド１６ｂがロータ１８に当接し、ブレーキ開放時にはキャリパー１２が右方向に摺動し、パッド１６ｂをロータ１８から離間させることとなる。従って、ブレーキ開放時におけるロータとパッドとの引き摺りを解消することが可能となる。
【００２０】
次に第二スプリング１１２と第一スプリング１２２との関係について考えてみる。ガイド部材１１４とスペーサ１１６とが接触するまでは第二スプリング１１２に作用する荷重は、第一スプリング１２２に作用する荷重と等しく、ガイド部材１１４はスプリングガイド１１０に対する所定位置に位置決めされて上下方向に保持されている。しかしながら、ガイド部材１１４とスペーサ１１６とが接触すればブレーキの作動力がキャリパー１０６、スプリングガイド１１０を介してガイド部材１１４からスペーサ１１６に直接作用することとなる。通常の作動範囲ではガイド部材１１４とスペーサ１１６とは接触しないように設定されているためこのような接触は生じないが、パッド（図１におけるパッド１６ｂに相当）が磨耗した場合には生じる可能性がある。このときスプリングガイド１１０上におけるガイド部材１１４が常に同じ位置に位置決めされているとパッドが磨耗してもスプリングガイド１１０を上記接触位置を超えて摺動させることができず、バッドを適正にディスクロータに当接させることができない。従って、ガイド部材１１４がスペーサ１１６に接触した後、スプリングガイド１１０上を滑る（ずれる）ようにしておく必要がある。本実施形態では、第二スプリング１１２のスプリングガイド１１０に対する嵌合力をブレーキ作動力よりも小さく設定している。このように設定すればパッドが磨耗したことによりガイド部材１１４がスペーサ１１６に接触してもなおスプリングガイド１１０を上方向に摺動させる必要がある場合でも、第二スプリング１１２がスプリングガイド１１０上をずれていき、ガイド部材１１４とスプリングガイド１１０との相対的位置関係をパッドの磨耗量に応じて変更することが可能となる。
【００２１】
従って、パッドが磨耗していくとガイド部材１１４と、第二スプリング１１２とはパッドの磨耗量分だけ初期位置よりも上方向に移動していることになり、パッドを交換するときに第二スプリング１１２のスプリングガイド１１０への嵌合力以上の荷重を掛ければ重要な機構部分を分解することなく初期位置に復帰させることができる。すなわち、本実施形態をパッドの厚みが異なるブレーキに使用する場合、スプリングガイド１１０の長さをパッドの磨耗可能量にあわせて変更するだけで、他の部品を共通化することができる。なお、第二スプリング１１２は耐久性の点で金属製の螺旋状バネが好ましいが、Ｏリングのようなゴム製の部品でも差し支えない。
【００２２】
さらに、図１、２に示すディスクブレーキのフローティング構造１００は、上述した引き摺り防止機能だけでなく、ディスクロータとパッドとの隙間量を調節する機能をも併せ持っている。図２においては寸法Ｓがディスクロータとパッドとの隙間に相当している。従って、ディスクロータとパッドとの隙間量はＳの寸法により調整される。寸法Ｓは、第二スプリング１１２の最小荷重、第一スプリング１２２のセット時の最小荷重、作動時最大荷重、及びスリーブ１０４の最大摺動抵抗のみを規制しておけば部品のばらつきによって影響を受けず所定値を維持することとなる。
【００２３】
図３を参照すれば、図１、２の機構における作動荷重と第一スプリング１２２（グラフ中の実線部参照）及び第二スプリング１１２（グラフ中の破線部参照）の変位とを示している。ここでスリーブ１０４の実摺動抵抗はｆ５、最大摺動抵抗ｆ６、第一スプリング１２２の最小荷重ｆ６、最大荷重ｆ８、第一スプリング１１２の最小荷重ｆ８に規制し、ブレーキ作動時の変位はＸ６、ブレーキ開放時の変位はＸ５と表されている。例えば、スリーブ１０４の摺動抵抗がｆ５＜ｆ６の場合には第一スプリング１２２はスナップリング１２０で上方向の作動が規制されているため変位はＸ５のまま変化しないこととなる。一方、スペーサ１１６はガイド部材１１４により下方向の作動が制限されているため第一スプリング１２２の作動時荷重より第二スプリング１１２の荷重が大きければ第一スプリング１２２の荷重が変動しても変位はＸ６のまま維持されることとなる。従って、第一スプリング１２２の変位は所定値Ｘ５から所定値Ｘ６の範囲内になり、Ｘ６とＸ５との差の寸法であるＳ（まさにこれが図２における隙間Ｓである）も所定値を維持することとなる。従って、本実施形態においては隙間Ｓ寸法を調整することでディスクロータとパッドとの隙間量を調整することが可能となる。
【００２４】
次に本発明の第二の実施形態が図４に示されている。本実施形態は図１、２に示す本発明の第一の実施形態であるフローティング構造１００の変形例２００として形成されている。従って、図４の各要素に符された参照番号のうち図１、２と類似の参照番号を符しているものは同様の機能を果たす要素を意味している。図４に示す第二の実施形態では第一の実施形態のスナップリング１２０に相当する要素が存在しない、すなわち、ブレーキ開放時におけるスプリングガイド２１０の押し戻し（Ｙ方向の摺動）を規制する要素が存在しないこととなる。従って、第二スプリング２１２に作用する荷重のばらつきによってパッドとロータの隙間は変動しないが、第一スプリング２２２に作用する荷重とスリーブ２０４の摺動抵抗とのばらつきによっては影響を受けることとなる。
【００２５】
また、本発明の第三の実施形態が図５に示されている。本実施形態においても図１、２に示す本発明の第一の実施形態であるフローティング構造１００の変形例３００として形成され、図５の各要素に符された参照番号のうち図１、２と類似の参照番号を符しているものは同様の機能を果たす要素を意味している。図５に示すように本実施形態ではガイド部材１１４に相当する要素がなく、スプリング３１２、３２２は一体に形成されており、図１、２の第一スプリング１２２に相当する部分が第一部分３２２、第二スプリング１１２に相当する部分が第二部分３１２として機能する。従って、第二部分３１２のスプリングガイド３１０に対する嵌合力と、第一部分３２２のブレーキ開放時にスリーブ３０４を押し戻す力と、スリーブ３０４の摺動抵抗とのばらつきによってパッドとロータの隙間は変動する。
【００２６】
さらに、また、本発明の第四の実施形態が図６に示されている。本実施形態においても図１、２に示す本発明の第一の実施形態であるフローティング構造１００の変形例４００として形成され、図６の各要素に符された参照番号のうち図１、２と類似の参照番号を符しているものは同様の機能を果たす要素を意味している。但し、本実施形態では、ガイド部材４１４がスプリングガイド４１０の端部に固着されていることと、第二スプリング１１２に相当するスプリングが存在しないことが特徴である。従って、常にスプリングガイド４１０は同じ摺動をし、すなわちブレーキ開放時においてパッドとロータは常に初期位置まで押し戻されることになる。その結果、バッドの引き摺りを防止することは確実である反面、パッドが磨耗すれば必然的にパッドとロータとの間の隙間は増大することとなる。
【図面の簡単な説明】
【００２７】
【図１】本発明のフローティング構造を例示する第一の実施形態の略断面図である。
【図２】フローティング構造の主機構を示す図１の部分拡大図である。
【図３】図１、２に示す本発明の第一の実施形態における作動荷重と第一スプリングの変位との関係を示すグラフ図である。
【図４】本発明の第二の実施形態の略断面図である。
【図５】本発明の第三の実施形態の略断面図である。
【図６】本発明の第四の実施形態の略断面図である。
【図７】ディスクブレーキのフローティング構造の全体の概要を示す略断面図である。
【符号の説明】
【００２８】
１００…フローティング構造
１０４…スリーブ
１０６…キャリパー
１１０…スプリングガイド
１１２…第二スプリング
１１４…ガイド部材
１１６…スペーサ
１１８…スナップリング（係合部材）
１２０…スナップリング
１２２…第一スプリング
３１２…第二部分
３２２…第一部分
【図１】
2005221017.tif 000003
【図２】
2005221017.tif 000004
【図３】
2005221017.tif 000005
【図４】
2005221017.tif 000006
【図５】
2005221017.tif 000007
【図６】
2005221017.tif 000008
【図７】
2005221017.tif 000009